(57)【要約】【課題】胸部Ｘ線撮影装置において、胸部撮影時の被撮影者の負担を軽減すると共に、画像の画質の低下を避けること。【解決手段】胸部Ｘ線撮影装置１０は、Ｘ線検出装置１３と、Ｘ線検出装置１３の検出面より後方で保持され、Ｘ線検出装置１３の左右方向を軸に回動するクランク軸１７１と、被撮影者Ｐの各手によって握持可能な左右のハンドル部分を有し、クランク軸１７１の回動によって被撮影者Ｐを背面から検出面に案内する形状を有する左右のクランクハンドル１７２と、左右のハンドル部分がクランク軸１７１より下方にある場合に左右のハンドル部分を検出面の後方から前方の向きに回動させないようにクランク軸１７１の回動の係止を行なうと共に、その係止を解除可能な係止部１７３と、を備えた。【選択図】  図４
2012040104.tif 000002
【特許請求の範囲】
【請求項１】
Ｘ線照射部と、
複数のＸ線検出素子を設けるＸ線検出部と、
前記Ｘ線検出部の検出面より後方で保持され、前記Ｘ線検出部の左右方向を軸に回動するクランク軸と、
被撮影者の各手によって握持可能な左右のハンドル部分を有し、前記クランク軸の回動によって前記被撮影者を背面から前記検出面に案内する形状を有する左右のクランクハンドルと、
前記左右のハンドル部分が前記クランク軸より下方にある場合に前記左右のハンドル部分を前記検出面の後方から前方の向きに回動させないように前記クランク軸の回動の係止を行なうと共に、前記係止を解除可能な係止部と、
を備えたことを特徴とする胸部Ｘ線撮影装置。
【請求項２】
前記クランク軸は、前記検出面より後方で前記Ｘ線検出部に一体として保持されたことを特徴とする請求項１に記載の胸部Ｘ線撮影装置。
【請求項３】
前記左右のクランクハンドルの、前記クランク軸の回動によって前記被撮影者の左右の肩部付近に接触する箇所に左右のパットをそれぞれ備えたことを特徴とする請求項１又は２に記載の胸部Ｘ線撮影装置。
【請求項４】
前記左右のクランクハンドル間にバーを架設したことを特徴とする請求項１乃至３のうちいずれか一項に記載の胸部Ｘ線撮影装置。
【請求項５】
前記バーを、前記左右のハンドル部分が前記クランク軸より下方にある場合の前記検出面の後方の位置で前記被撮影者の左右の腰部付近となるように架設したことを特徴とする請求項４に記載の胸部Ｘ線撮影装置。
【請求項６】
Ｘ線照射部と、
複数のＸ線検出素子を設けるＸ線検出部と、
前記Ｘ線検出部の検出面より後方で前記Ｘ線検出部に一体として保持され、前記Ｘ線検出部の左右方向を軸に回動するクランク軸と、
被撮影者の各手によって握持可能な左右のハンドル部分を有する左右のクランクハンドルと、
前記左右のハンドル部分が前記クランク軸より下方にある場合に前記左右のハンドル部分を前記検出面の後方から前方の向きに回動させないように前記クランク軸の回動の係止を行なうと共に、前記係止を解除可能な係止部と、
を備えたことを特徴とする胸部Ｘ線撮影装置。
【請求項７】
前記クランク軸は、前記検出面より後方で前記Ｘ線検出部に一体として保持されたことを特徴とする請求項６に記載の胸部Ｘ線撮影装置。
【請求項８】
一端が前記左右のクランクハンドルにそれぞれ支持される左右のベルトと、
前記被撮影者の肩部より高い位置で前記Ｘ線検出部に一体として保持され、任意の位置で自動的に前記左右のベルトの引き出しをそれぞれロック可能である左右のロック式巻取部と、をさらに備え、
前記左右のベルトは、前記検出面の上部側を介して、前記左右のクランクハンドルと前記左右の自動ロック式巻取部とをそれぞれ接続することを特徴とする請求項６又は７に記載の胸部Ｘ線撮影装置。
【請求項９】
前記左右のハンドル部分に、前記左右のハンドル部分に対して回動自在にそれぞれ取り付けられる左右のグリップをさらに備えたことを特徴とする請求項１乃至８のうちいずれか一項に記載の胸部Ｘ線撮影装置。
【請求項１０】
前記グリップは、握持する被撮影者Ｐの手の凹凸に合わせて象られた形状を有することを特徴とする請求項９に記載の胸部Ｘ線撮影装置。
【発明の詳細な説明】
【技術分野】
【０００１】
本発明の一態様としての本実施形態は、胸部のＸ線撮影に使用される胸部Ｘ線撮影装置に関する。
【背景技術】
【０００２】
学校及び会社等の団体では、年に１回程度、胸部Ｘ線撮影装置を用いた胸部撮影によって胸部画像を生成し、その胸部画像に基づいて診断を行なうことが義務付けられている。胸部撮影では、技師は、被撮影者一人一人の体に触れて被撮影者のポジショニングを行なう。
【先行技術文献】
【特許文献】
【０００３】
【特許文献１】特開２００７−２２９３４６号公報
【発明の概要】
【発明が解決しようとする課題】
【０００４】
しかしながら、従来技術によると、技師等の撮影者は、被撮影者一人一人の体に触れて被撮影者のポジショニングを行なう必要があるので、検査効率が悪かった。
【０００５】
また、従来技術によると、被撮影者の撮影体勢が不自然であるので、撮影終了まで撮影体勢を維持するのに被撮影者の負担があった。被撮影者が撮影中に動いて撮影体勢が崩れると、取得される画像の画質が低下してしまう。
【課題を解決するための手段】
【０００６】
本実施形態の胸部Ｘ線撮影装置は、上述した課題を解決するために、Ｘ線照射部と、複数のＸ線検出素子を設けるＸ線検出部と、前記Ｘ線検出部の検出面より後方で保持され、前記Ｘ線検出部の左右方向を軸に回動するクランク軸と、被撮影者の各手によって握持可能な左右のハンドル部分を有し、前記クランク軸の回動によって前記被撮影者を背面から前記検出面に案内する形状を有する左右のクランクハンドルと、前記左右のハンドル部分が前記クランク軸より下方にある場合に前記左右のハンドル部分を前記検出面の後方から前方の向きに回動させないように前記クランク軸の回動の係止を行なうと共に、前記係止を解除可能な係止部と、を備えた。
【０００７】
本実施形態の胸部Ｘ線撮影装置は、上述した課題を解決するために、Ｘ線照射部と、複数のＸ線検出素子を設けるＸ線検出部と、前記Ｘ線検出部の検出面より後方で前記Ｘ線検出部に一体として保持され、前記Ｘ線検出部の左右方向を軸に回動するクランク軸と、被撮影者の各手によって握持可能な左右のハンドル部分を有する左右のクランクハンドルと、前記左右のハンドル部分が前記クランク軸より下方にある場合に前記左右のハンドル部分を前記検出面の後方から前方の向きに回動させないように前記クランク軸の回動の係止を行なうと共に、前記係止を解除可能な係止部と、を備えた。
【図面の簡単な説明】
【０００８】
【図１】第１実施形態の胸部Ｘ線撮影装置を含むＸ線診断装置の全体構成を示す側面外観図。
【図２】第１実施形態の胸部Ｘ線撮影装置の撮影補助装置の構成を示すための側面外観図。
【図３】第１実施形態の胸部Ｘ線撮影装置の撮影補助装置の構成を示すための側面外観図。
【図４】第１実施形態の胸部Ｘ線撮影装置の撮影補助装置の構成を示すための側面外観図。
【図５】第１実施形態の胸部Ｘ線撮影装置の撮影補助装置の構成を示すための正面外観図。
【図６】第１実施形態の胸部Ｘ線撮影装置の撮影補助装置の構成を示すための上面外観図。
【図７】第２実施形態の胸部Ｘ線撮影装置を含むＸ線診断装置の全体構成を示す側面外観図。
【図８】第２実施形態の胸部Ｘ線撮影装置の撮影補助装置の構成を示すための側面外観図。
【図９】第２実施形態の胸部Ｘ線撮影装置の撮影補助装置の構成を示すための側面外観図。
【図１０】第２実施形態の胸部Ｘ線撮影装置の撮影補助装置の構成を示すための側面外観図。
【図１１】第２実施形態の胸部Ｘ線撮影装置の撮影補助装置の構成を示すための正面外観図。
【図１２】第２実施形態の胸部Ｘ線撮影装置の撮影補助装置の構成を示すための上面外観図。
【発明を実施するための形態】
【０００９】
本実施形態の胸部Ｘ線撮影装置を含むＸ線診断装置について、添付図面を参照して説明する。
【００１０】
（第１実施形態）
図１は、第１実施形態の胸部Ｘ線撮影装置を含むＸ線診断装置の全体構成を示す側面外観図である。
【００１１】
図１は、第１実施形態の胸部Ｘ線撮影装置１０を含むＸ線診断装置１を示す。Ｘ線診断装置１は、撮影室Ｒ１に設置された胸部Ｘ線撮影装置１０と、操作室Ｒ２に設置された撮影制御・画像処理装置２０によって構成される。
【００１２】
Ｘ線診断装置１の胸部Ｘ線撮影装置１０は、Ｘ線照射装置１１、Ｘ線照射側支持装置１２、Ｘ線検出装置１３、Ｘ線検出側支持装置１４、撮影台１５、Ｘ線高電圧装置１６、及び撮影補助装置１７を備える。
【００１３】
Ｘ線照射装置１１は、Ｘ線管装置１１ａ及びＸ線可動絞り装置１１ｂによって構成される。Ｘ線管装置１１ａは、被撮影者Ｐに照射するためのＸ線を発生する。Ｘ線可動絞り装置１１ｂは、被撮影者Ｐに照射するＸ線の照射範囲を制限する。
【００１４】
Ｘ線照射側支持装置１２は、Ｘ線照射装置１１を天井から支持する。なお、Ｘ線照射側支持装置１２は、Ｘ線照射装置１１を壁面や床面から支持する構成でもよい。Ｘ線照射側支持装置１２は、Ｘ線照射装置１１を上下方向、左右方向に移動させる移動調整機構を備える。
【００１５】
Ｘ線検出装置１３は、平面検出器である。Ｘ線検出装置１３は、Ｘ線照射装置１１と対向配置され、被撮影者Ｐの透過Ｘ線を検出して、その検出データをディジタル画像データに変換して読み出す。
【００１６】
Ｘ線検出側支持装置１４は、Ｘ線検出装置１３を床面から支持する。Ｘ線検出側支持装置１４は、被撮影者Ｐの撮影部位である胸部に位置決めするために、Ｘ線検出装置１３を被撮影者Ｐの胸部位置（身長）に合わせて上下方向に昇降する移動調整機構を備えている。Ｘ線照射側支持装置１２の移動調整機構と、Ｘ線検出側支持装置１４の移動調整機構とを用いて、被撮影者Ｐの胸部をＸ線照射範囲に位置決めできるように構成されている。
【００１７】
撮影台１５は、被撮影者Ｐを載置する。
【００１８】
Ｘ線高電圧装置１６は、Ｘ線撮影条件に対応してＸ線管装置１１ａの陽極と陰極間に印加する高電圧を発生する機能と、Ｘ線管装置１１ａの陽極と陰極間に流れる電流を制御する機能を備える。
【００１９】
撮影補助装置１７の構成は、図２乃至図６を用いて後述する。
【００２０】
Ｘ線診断装置１の撮影制御・画像処理装置２０は、画像処理装置２１及び操作装置２２を備える。
【００２１】
画像処理装置２１は、胸部Ｘ線撮影装置１０のＸ線検出装置１３で検出したディジタル画像データに、Ｘ線検出装置１３の暗電流補正、ゲイン補正等の各種補正処理を施し、この補正処理された画像データにダイナミックレンジ圧縮処理、フィルタ処理等を行って得られた画像データから撮影画像を生成する。
【００２２】
操作装置２２は、入力装置、表示装置、及び撮影制御装置を備える。入力装置は、撮影条件、撮影部位、患者名、及び撮影や、画像処理に必要な各種のパラメータを入力する。表示装置は、Ｘ線画像を表示するＣＲＴ（ｃａｔｈｏｄｅ  ｒａｙ  ｔｕｂｅ）や液晶モニタ等を備え、入力装置２２によって入力され設定した、撮影に必要なパラメータ等を表示する。撮影制御装置は、操作装置で設定したＸ線撮影条件及び撮影制御パラメータに基づいて撮影を制御する。
【００２３】
図２乃至図４は、第１実施形態の胸部Ｘ線撮影装置１０の撮影補助装置１７の構成を示すための側面外観図である。図５は、第１実施形態の胸部Ｘ線撮影装置１０の撮影補助装置１７の構成を示すための正面外観図である。図６は、第１実施形態の胸部Ｘ線撮影装置１０の撮影補助装置１７の構成を示すための上面外観図である。
【００２４】
図２乃至図６に示すように、撮影補助装置１７は、クランク軸１７１、クランクハンドル１７２、係止部１７３、グリップ１７４、バー１７５及びパット１７６によって構成される。なお、グリップ１７４、バー１７５、及びパット１７６は、胸部Ｘ線撮影装置１０に必須の構成要素ではない。
【００２５】
クランク軸１７１は、Ｘ線検出装置１３の検出面より後方でＸ線検出装置１３に一体として保持され、Ｘ線検出装置１３の左右方向を軸に回動する。クランク軸１７１は、１つ備えられてもよいし、左右方向に２つ備えられてもよい。胸部Ｘ線撮影装置１０では、クランク軸１７１が左右に２つ備えられるものとして説明する。
【００２６】
クランクハンドル１７２は、左右に２つ設けられる。左右のクランクハンドル１７２は、被撮影者Ｐの各手によって握持可能な左右のハンドル部分を有し、クランク軸１７１の回動によって被撮影者Ｐを背面からＸ線検出装置１３の検出面に案内する形状を有する。クランク軸１７１が１つ備えられる場合、左右のクランクハンドル１７２は、１つのクランク軸１７１にそれぞれ支持される。
【００２７】
クランクハンドル１７２は、Ｘ線診断装置１によって取得される画像に写らない形状とすることが望ましい。しかし、画像に写るクランクハンドル１７２の部分がアーチファクトであると明確に区別できるのであれば、クランクハンドル１７２が画像に写る形状であってもよい。
【００２８】
係止部１７３は、左右のクランク軸１７１に従って左右に設けられる。左右の係止部１７３は、左右のハンドル部分がクランク軸１７１より下方にある場合に左右のハンドル部分をＸ線検出装置１３の検出面の後方から前方の向き（向きＤ２）に回動させないようにクランク軸１７１の回動の係止を行なうと共に、その係止を解除可能な機構である。係止部１７３は、例えば、機械式のラチェット機構である。また、係止部１７３として、クランク軸１７１の回動によってロッドが伸縮移動する油圧シリンダを採用してもよい。
【００２９】
グリップ１７４は、左右に２つ設けられる。左右のグリップ１７４は、左右のクランクハンドル１７２の各ハンドル部分にそれぞれ支持され、被撮影者Ｐが各手で握るためのものである。左右のグリップ１７４は、左右のクランクハンドル１７２の各ハンドル部分に、ハンドル部分に対して回動自在にそれぞれ取り付けられる。また、グリップ１７４は、握持する被撮影者Ｐの手の凹凸に合わせて象られた形状を有する。
【００３０】
バー１７５は、左右のクランクハンドル１７２の間に架設される。バー１７５は、クランク軸１７１が２つ備えられる場合に、左右のクランクハンドル１７２を連動して動作させる。また、バー１７５を、左右のハンドル部分がクランク軸１７１より下方にある場合の、Ｘ線検出装置１３の検出面の後方の位置で被撮影者Ｐの左右の腰部付近となるように架設してもよい。その場合、被撮影者Ｐのポジショニングの補助としても使用できる（被撮影者Ｐの腰部付近の補助）。
【００３１】
パット１７６は、左右に２つ設けられる。左右のパット１７６は、前記左右のクランクハンドル１７２の、クランク軸１７１の回動によって被撮影者Ｐの左右の肩部付近に接触する箇所にそれぞれ備えられる。
【００３２】
次に、撮影補助装置１７の動作について説明する。
【００３３】
被撮影者Ｐのポジショニングを開始する際、図２に示すクランクハンドル１７２の第１位置Ｑ１において技師等の撮影者は、係止部１７３を用いて向きＤ２への回動の係止を行なう。そして、撮影台１５上に案内された被撮影者Ｐは、Ｘ線検出装置１３の検出面に対して正対する。撮影者は、被撮影者Ｐの身長に合わせてＸ線検出装置１３をＸ線検出側支持装置１４に対して上下方向に動かす。撮影補助装置１７は、Ｘ線検出装置１３と一体として構成されているので、Ｘ線検出装置１３の上下方向の動きに従って上下方向に動かされる。
【００３４】
次いで、撮影台１５上の被撮影者Ｐは、クランクハンドル１７２を握って、クランク軸１７１が向きＤ１に回動するようにクランクハンドル１７２を回動させる。又は、撮影者は、クランクハンドル１７２を握って、クランク軸１７１が向きＤ１に回動するようにクランクハンドル１７２を回動させて、クランクハンドル１７２を被撮影者Ｐに渡す。すなわち、クランクハンドル１７２は、図２に示す第１位置Ｑ１から図３に示す位置となる。
【００３５】
続けて、被撮影者Ｐは、左右のクランクハンドル１７２の各ハンドル部分（又は左右のグリップ１７４）を各手で握って、クランク軸１７１が向きＤ１に回動するようにクランクハンドル１７２を回動させる。すなわち、クランクハンドル１７２は、図３に示す位置から図４乃至図６に示す第２位置Ｑ２となる。クランクハンドル１７２が図３に示す位置から図４乃至図６に示す第２位置Ｑ２に至るまでの間、被撮影者Ｐの各手がＸ線検出装置１３の検出面の前方から後方に徐々に移動するので、被撮影者Ｐの前面がＸ線検出装置１３の検出面に徐々に押し付けられる。また、クランクハンドル１７２が図３に示す位置から図４乃至図６に示す第２位置Ｑ２に至るまでの間、被撮影者Ｐの各手によってクランクハンドル１７２が向きＤ２に徐々に回動するので、クランクハンドル１７２のパット１７６が被撮影者Ｐの肩部付近をＸ線検出装置１３の検出面に徐々に押圧する。
【００３６】
なお、図２に示す第１位置Ｑ１から図４乃至図６に示す第２位置Ｑ２までの過程で向きＤ２への回動の係止を解除する必要がある場合、例えば再ポジショニングの場合、撮影者は、係止部１７３を用いて向きＤ２への回動の係止を適宜解除することができる。
【００３７】
被撮影者Ｐのポジショニングが終了すると、図４乃至図６に示す第２位置Ｑ２で、被撮影者Ｐが左右のクランクハンドル１７２の各ハンドル部分（又は左右のグリップ１７４）を各手で握ったまま胸部撮影が行なわれる。撮影が終了すると、撮影者は、係止部１７３を用いて向きＤ２への回動の係止を解除する。被撮影者Ｐは、クランクハンドル１７２を握って、クランク軸１７１が向きＤ２に回動するようにクランクハンドル１７２を回動させた後、撮影台１５上から降りる。すなわち、クランクハンドル１７２は、図４乃至図６に示す第２位置Ｑ２から図２に示す第１位置Ｑ１に戻る。
【００３８】
撮影補助装置１７によると、被撮影者Ｐが自ら、クランクハンドル１７２を図４乃至図６に示す第２位置Ｑ２までもっていき、ポジショニングを行なうことができる。すなわち、撮影者が個々に被撮影者Ｐのポジショニングを行なう必要がないので、撮影効率が向上する。
【００３９】
また、撮影補助装置１７によると、図４乃至図６に示す第２位置Ｑ２のクランクハンドル１７２はクランク軸１７１の向きＤ２には回動しないので、撮影中の被撮影者Ｐは、ポジショニングされた撮影体勢を容易に維持することができ、被撮影者Ｐが撮影中に動いてしまうことが避けられるので、取得される画像の画質低下を避けることができる。
【００４０】
さらに、パット１７６を備える撮影補助装置１７によると、クランクハンドル１７２が図４乃至図６に示す第２位置Ｑ２にある場合、被撮影者Ｐの肩甲骨を開いてより好適な撮影体勢を維持できる。
【００４１】
（第２実施形態）
図７は、第２実施形態の胸部Ｘ線撮影装置を含むＸ線診断装置の全体構成を示す側面外観図である。
【００４２】
図７は、第２実施形態の胸部Ｘ線撮影装置１０Ａを含むＸ線診断装置１Ａを示す。Ｘ線診断装置１Ａは、撮影室Ｒ１に設置された胸部Ｘ線撮影装置１０Ａと、操作室Ｒ２に設置された撮影制御・画像処理装置２０によって構成される。
【００４３】
Ｘ線診断装置１Ａの胸部Ｘ線撮影装置１０Ａは、Ｘ線照射装置１１、Ｘ線照射側支持装置１２、Ｘ線検出装置１３、Ｘ線検出側支持装置１４、撮影台１５、Ｘ線高電圧装置１６、及び撮影補助装置２７を備える。
【００４４】
撮影補助装置２７の構成は、図８乃至図１２を用いて後述する。
【００４５】
なお、図７に示すＸ線診断装置１Ａにおいて、図１に示すＸ線診断装置１と同一部材には同一符号を付して説明を省略する。
【００４６】
図８乃至図１０は、第２実施形態の胸部Ｘ線撮影装置１０Ａの撮影補助装置２７の構成を示すための側面外観図である。図１１は、第２実施形態の胸部Ｘ線撮影装置１０Ａの撮影補助装置２７の構成を示すための正面外観図である。図１２は、第２実施形態の胸部Ｘ線撮影装置１０Ａの撮影補助装置２７の構成を示すための上面外観図である。
【００４７】
図８乃至図１２に示すように、撮影補助装置２７は、クランク軸２７１、クランクハンドル２７２、係止部２７３、グリップ２７４、ベルト（ゴムバンド）２７５、及び自動ロック式巻取部２７６によって構成される。なお、グリップ２７４、ベルト２７５、及び自動ロック式巻取部２７６は、胸部Ｘ線撮影装置１０Ａに必須の構成要素ではない。
【００４８】
クランク軸２７１は、Ｘ線検出装置１３の検出面より後方でＸ線検出装置１３に一体として保持され、左右方向を軸に回動する。クランク軸２７１は、１つ備えられてもよいし、左右方向に２つ備えられてもよい。胸部Ｘ線撮影装置１０Ａでは、クランク軸２７１が左右に２つ備えられるものとして説明する。
【００４９】
クランクハンドル２７２は、左右に２つ備えられる。左右のクランクハンドル２７２は、被撮影者Ｐの各手によって握持可能な左右のハンドル部分を有する。クランク軸２７１が１つ備えられる場合、左右のクランクハンドル２７２は、１つのクランク軸２７１にそれぞれ支持される。
【００５０】
係止部２７３は、左右のクランク軸２７１に従って左右に設けられる。左右の係止部２７３は、左右のハンドル部分がクランク軸２７１より下方にある場合に左右のハンドル部分をＸ線検出装置１３の検出面の後方から前方の向きに回動させないようにクランク軸２７１の回動の係止を行なうと共に、その係止をそれぞれ解除可能な機構である。係止部２７３は、例えば、機械式のラチェット機構である。また、係止部２７３として、クランク軸２７１の回動によってロッドが伸縮移動する油圧シリンダを採用してもよい。
【００５１】
グリップ２７４は、左右に２つ備えられる。左右のグリップ２７４は、左右のクランクハンドル２７２の各ハンドル部分にそれぞれ支持され、被撮影者Ｐが各手で握るためのものである。左右のグリップ２７４は、左右のクランクハンドル２７２の各ハンドル部分に、ハンドル部分に対して回動自在にそれぞれ取り付けられる。また、グリップ２７４は、握持する被撮影者Ｐの手の凹凸に合わせて象られた形状を有する。
【００５２】
ベルト２７５は、左右に２つ設けられる。左右のベルト２７５は、一端が左右のクランクハンドル２７２にそれぞれ支持される。
【００５３】
自動ロック式巻取部２７６は、左右に２つ備えられる。左右の自動ロック式巻取部２７６は、Ｘ線検出装置１３の上部側（被撮影者Ｐの肩部より高い位置）でＸ線検出装置１３に一体として保持される。左右のベルト２７５をそれぞれ引き出した左右の自動ロック式巻取部２７６は、任意の位置で左右の自動的にベルト２７５の引き出しをそれぞれロック可能である。左右のベルト２７５は、Ｘ線検出装置１３の検出面の上部側（被撮影者Ｐの左右の肩部付近）を介して、左右のクランクハンドル２７２と左右の自動ロック式巻取部２７６とをそれぞれ接続する。
【００５４】
次に、撮影補助装置２７の動作について説明する。
【００５５】
被撮影者Ｐのポジショニングを開始する際、図８に示すクランクハンドル２７２の第１位置Ｑ１において技師等の撮影者は、係止部２７３を用いて向きＤ２への回動の係止を行なう。そして、撮影台１５上に案内された被撮影者Ｐは、左右のベルト２７５とＸ線検出装置１３の間に内側から各手をそれぞれ通し、Ｘ線検出装置１３の検出面に対して正対する。この時、自動ロック式巻取部２７６は、自動的にベルト２７５の引き出しをロックする。撮影者は、被撮影者Ｐの身長に合わせてＸ線検出装置１３をＸ線検出側支持装置１４に対して上下方向に動かす。撮影補助装置１７は、Ｘ線検出装置１３と一体として構成されているので、Ｘ線検出装置１３の上下方向の動きに従って上下方向に動かされる。
【００５６】
次いで、撮影台１５上の被撮影者Ｐは、左右のクランクハンドル２７２の各ハンドル部分（又は左右のグリップ２７４）を各手で握って、クランク軸２７１が向きＤ１に回動するように左右のクランクハンドル２７２を回動させる。すなわち、クランクハンドル２７２は、図８に示す第１位置Ｑ１から図９に示す位置となる。
【００５７】
続けて、被撮影者Ｐは、左右のクランクハンドル２７２の各ハンドル部分（又は左右のグリップ２７４）を各手で握ったまま、クランク軸２７１が向きＤ１に回動するようにクランクハンドル２７２を回動させる。すなわち、クランクハンドル２７２は、図９に示す位置から図１０乃至図１２に示す第２位置Ｑ２となる。クランクハンドル２７２が図９に示す位置から図１０乃至図１２に示す第２位置Ｑ２に至るまでの間、被撮影者Ｐの各手がＸ線検出装置１３の検出面の前方から後方に徐々に移動するので、被撮影者Ｐの前面がＸ線検出装置１３の検出面に徐々に押し付けられる。また、クランクハンドル２７２が図９に示す位置から図１０乃至図１２に示す第２位置Ｑ２に至るまでの間、被撮影者Ｐの各手によってクランクハンドル２７２が向きＤ２に徐々に回動するので、引き出しがロックされたベルト２７５が被撮影者Ｐの肩部付近をＸ線検出装置１３の検出面に徐々に押圧する。
【００５８】
なお、図８に示す第１位置Ｑ１から図１０乃至図１２に示す第２位置Ｑ２までの過程で向きＤ２への回動の係止を解除する必要がある場合、例えば再ポジショニングの場合、撮影者は、係止部２７３を用いて向きＤ２への回動の係止を適宜解除することができる。
【００５９】
被撮影者Ｐのポジショニングが終了すると、図１０乃至図１２に示す第２位置Ｑ２で、被撮影者Ｐが左右のクランクハンドル２７２の各ハンドル部分（又は左右のグリップ２７４）を各手で握ったまま胸部撮影が行なわれる。撮影が終了すると、撮影者は、係止部２７３を用いて向きＤ２への回動の係止を解除する。被撮影者Ｐは、クランク軸２７１が向きＤ２に回動するように、握っている左右のクランクハンドル２７２の各ハンドル部分（又は左右のグリップ２７４）を回動させた後、撮影台１５上から降りる。すなわち、クランクハンドル２７２は、図１０乃至図１２に示す第２位置Ｑ２から図８に示す第１位置Ｑ１に戻る。
【００６０】
撮影補助装置２７によると、被撮影者Ｐが自ら、クランクハンドル２７２を図１０乃至図１２に示す第２位置Ｑ２までもっていき、ポジショニングを行なうことができる。すなわち、撮影者が個々に被撮影者Ｐのポジショニングを行なう必要がないので、撮影効率が向上する。
【００６１】
また、撮影補助装置２７によると、図１０乃至図１２に示す第２位置Ｑ２のクランクハンドル２７２はクランク軸２７１の向きＤ２には回動しないので、撮影中の被撮影者Ｐは、ポジショニングされた撮影体勢を容易に維持することができ、被撮影者Ｐが撮影中に動いてしまうことが避けられるので、取得される画像の画質低下を避けることができる。
【００６２】
さらに、ベルト２７５及び自動ロック式巻取部２７６を備える撮影補助装置２７によると、クランクハンドル２７２が図１０乃至図１２に示す第２位置Ｑ２にある場合、被撮影者Ｐの肩甲骨を開いてより好適な撮影体勢を維持できる。
【００６３】
本実施形態の胸部Ｘ線撮影装置１，１Ａによると、胸部撮影時の被撮影者Ｐの負担を軽減すると共に、画像の画質の低下を避けることができる。
【００６４】
以上、本発明に係る胸部Ｘ線撮影装置を実施形態に基づき説明してきたが、本発明に係る胸部Ｘ線撮影装置の具体的な構成については、本実施形態に限られるものではなく、特許請求の範囲に記載の発明の要旨を逸脱しない限り設計の変更や追加等は許容される。例えば、本発明に係る胸部Ｘ線撮影装置を実施形態ではデジタルシステムとして説明したが、本発明に係る胸部Ｘ線撮影装置をアナログシステムとすることもできる。
【符号の説明】
【００６５】
１，１Ａ  Ｘ線診断装置
１０，１０Ａ  胸部Ｘ線撮影装置
１１  Ｘ線照射装置
１３  Ｘ線検出装置
１７，２７  撮影補助装置
２０  撮影制御・画像処理装置
１７１，２７１  クランク軸
１７２，２７２  クランクハンドル
１７３，２７３  係止部
１７４，２７４  グリップ
１７５  バー
１７６  パット
２７５  ベルト
２７６  自動ロック式巻取部
【図１】
2012040104.tif 000003
【図２】
2012040104.tif 000004
【図３】
2012040104.tif 000005
【図４】
2012040104.tif 000006
【図５】
2012040104.tif 000007
【図６】
2012040104.tif 000008
【図７】
2012040104.tif 000009
【図８】
2012040104.tif 000010
【図９】
2012040104.tif 000011
【図１０】
2012040104.tif 000012
【図１１】
2012040104.tif 000013
【図１２】
2012040104.tif 000014